(57)【特許請求の範囲】
【請求項１】
円筒状の接続部とこの接続部と一体に設けられ電線が圧着される圧着部とを有する丸端子の前記圧着部を支持するアンビルと、このアンビルに対して昇降可能に配置され前記圧着部を前記電線に圧着させるクリンパとを備えた端子圧着装置であって、
前記丸端子の前記接続部が位置する部分には、前記接続部を挟み込む一対の端子保持治具が配置され、
前記一対の端子保持治具のうち少なくとも一方には、前記接続部を挟み込むときに、前記接続部に設けられた孔部に挿入され、前記孔部と前記丸端子の回転方向に係合される突起部が設けられていることを特徴とする端子圧着装置。
【請求項２】
請求項１記載の端子圧着装置であって、
前記孔部と前記突起部とは、前記接続部の周方向に複数設けられていることを特徴とする端子圧着装置。
【請求項３】
請求項１又は２記載の端子圧着装置であって、
前記孔部と前記突起部とは、前記接続部の長さ方向に複数設けられていることを特徴とする端子圧着装置。
【請求項４】
円筒状の接続部とこの接続部と一体に設けられ電線が圧着される圧着部とを有する丸端子の前記圧着部を支持するアンビルと、このアンビルに対して昇降可能に配置され前記圧着部を前記電線に圧着させるクリンパと、前記丸端子の前記接続部が位置する部分に配置され前記接続部を挟み込む一対の端子保持治具とを備えた端子圧着方法であって、
前記丸端子の接続部を前記一対の端子保持治具の間に配置させる第１工程と、前記一対の端子保持治具のうち少なくとも一方に設けられた突起部を前記接続部に設けられた孔部に挿入し前記突起部と前記孔部とが前記丸端子の回転方向に係合するように前記一対の端子保持冶具で前記接続部を挟み込む第２工程と、前記アンビルに支持された前記丸端子の圧着部を前記クリンパで前記電線に圧着させる第３工程とを有することを特徴とする端子圧着方法。
【発明の詳細な説明】
【技術分野】
【０００１】
本発明は、端子圧着装置及び端子圧着方法に関する。
【背景技術】
【０００２】
従来、端子圧着装置としては、端子を支持するアンビルと、このアンビルに対して昇降可能に配置され端子の圧着部を電線に圧着させるクリンパとを備えたものが知られている（例えば、特許文献１参照）。
【０００３】
この端子圧着装置では、端子を支持するアンビルが回動可能に配置され、連鎖状に連結された複数の端子を複数の端子を１つの端子に切断し、アンビルを回動させ１つの端子にクリンパで電線を圧着させる。
【０００４】
このような端子圧着装置では、アンビルの上方に端子の接続部を保持する端子押え手段が設けられており、端子をアンビル上に位置決め固定している。
【先行技術文献】
【特許文献】
【０００５】
【特許文献１】特開２００７−１２３１８９号公報
【発明の概要】
【発明が解決しようとする課題】
【０００６】
ところで、上記特許文献１のような端子圧着装置では、クリンパによって端子の圧着部に電線を圧着させる際に、端子の接続部を端子押え手段のような端子保持治具によって端子を保持している。
【０００７】
しかしながら、上記特許文献１のような端子保持治具では、端子の接続部が角筒状であれば端子保持治具によって容易に端子を保持することができるが、端子の接続部が円筒状である丸端子においては端子の接続部が回転しまい、端子の保持が安定せず、クリンパによる電線と端子との圧着不良を起こす恐れがあった。
【０００８】
そこで、この発明は、端子の保持を安定化することができ、端子の圧着不良を防止することができる端子圧着装置及び端子圧着方法の提供を目的としている。
【課題を解決するための手段】
【０００９】
請求項１記載の発明は、円筒状の接続部とこの接続部と一体に設けられ電線が圧着される圧着部とを有する丸端子の前記圧着部を支持するアンビルと、このアンビルに対して昇降可能に配置され前記圧着部を前記電線に圧着させるクリンパとを備えた端子圧着装置であって、前記丸端子の前記接続部が位置する部分には、前記接続部を挟み込む一対の端子保持治具が配置され、前記一対の端子保持治具のうち少なくとも一方には、前記接続部を挟み込むときに、前記接続部に設けられた孔部に挿入され、前記孔部と前記丸端子の回転方向に係合される突起部が設けられていることを特徴とする。
【００１０】
この端子圧着装置では、一対の端子保持治具のうち少なくとも一方に、接続部を挟み込むときに、接続部に設けられた孔部に挿入される突起部が設けられているので、一対の端子保持治具で丸端子の接続部を挟み込んだ状態で、丸端子が回転することがなく、丸端子を安定してアンビルに保持することができる。
【００１１】
このため、クリンパによる丸端子の圧着部に対する電線の圧着の際に、丸端子が回転することがなく、電線と丸端子との圧着を安定して行うことができ、電線と丸端子との圧着不良を防止することができる。
【００１２】
従って、このような端子圧着装置では、丸端子の保持を安定化することができ、丸端子の圧着不良を防止することができる。
【００１３】
請求項２記載の発明は、請求項１記載の端子圧着装置であって、前記孔部と前記突起部とは、前記接続部の周方向に複数設けられていることを特徴とする。
【００１４】
この端子圧着装置では、孔部と突起部とが、接続部の周方向に複数設けられているので、接続部の回転方向の保持を安定化することができ、アンビルに対する丸端子の保持をさらに安定化することができる。
【００１５】
請求項３記載の発明は、請求項１又は２記載の端子圧着装置であって、前記孔部と前記突起部とは、前記接続部の長さ方向に複数設けられていることを特徴とする。
【００１６】
この端子圧着装置では、孔部と突起部とが、接続部の長さ方向に複数設けられているので、接続部の長さ方向と交差する方向への移動規制を安定化することができ、アンビルに対する丸端子の保持をさらに安定化することができる。
【００１７】
請求項４記載の発明は、円筒状の接続部とこの接続部と一体に設けられ電線が圧着される圧着部とを有する丸端子の前記圧着部を支持するアンビルと、このアンビルに対して昇降可能に配置され前記圧着部を前記電線に圧着させるクリンパと、前記丸端子の前記接続部が位置する部分に配置され前記接続部を挟み込む一対の端子保持治具とを備えた端子圧着方法であって、前記丸端子の接続部を前記一対の端子保持治具の間に配置させる第１工程と、前記一対の端子保持治具のうち少なくとも一方に設けられた突起部を前記接続部に設けられた孔部に挿入し前記突起部と前記孔部とが前記丸端子の回転方向に係合するように前記一対の端子保持冶具で前記接続部を挟み込む第２工程と、前記アンビルに支持された前記丸端子の圧着部を前記クリンパで前記電線に圧着させる第３工程とを有することを特徴とする。
【００１８】
この端子圧着方法では、第２工程において、一対の端子保持治具のうち少なくとも一方に設けられた突起部を接続部に設けられた孔部に挿入するように一対の端子保持治具で接続部を挟み込むので、一対の端子保持治具で丸端子の接続部を挟み込んだ状態で、丸端子が回転することがなく、丸端子を安定してアンビルに保持することができる。
【００１９】
このため、アンビルに支持された丸端子の圧着部をクリンパで電線に圧着させる第３工程において、丸端子が回転することがなく、電線と丸端子との圧着を安定して行うことができ、電線と丸端子との圧着不良を防止することができる。
【００２０】
従って、このような端子圧着方法では、丸端子の保持を安定化することができ、丸端子の圧着不良を防止することができる。
【発明の効果】
【００２１】
本発明によれば、丸端子の保持を安定化することができ、丸端子の圧着不良を防止することができる端子圧着装置及び端子圧着方法を提供することができるという効果を奏する。
【図面の簡単な説明】
【００２２】
【図１】本発明の実施の形態に係る端子圧着装置の丸端子の斜視図である。
【図２】本発明の実施の形態に係る端子圧着装置の丸端子の分解斜視図である。
【図３】本発明の実施の形態に係る端子圧着装置の丸端子の接続部の断面図である。
【図４】本発明の実施の形態に係る端子圧着装置の丸端子に相手端子を挿入するときの斜視図である。
【図５】本発明の実施の形態に係る端子圧着装置の丸端子に相手端子を挿入するときの正面図である。
【図６】本発明の実施の形態に係る端子圧着装置の丸端子に相手端子を挿入するときの断面図である。
【図７】本発明の第１実施形態に係る端子圧着装置の斜視図である。
【図８】本発明の第１実施形態に係る端子圧着装置の一方の端子保持治具と丸端子との斜視図である。
【図９】本発明の第１実施形態に係る端子圧着装置の丸端子の接続部を一対の端子保持治具で挟んだときの正面図である。
【図１０】本発明の第１実施形態に係る端子圧着装置の丸端子の接続部を一対の端子保持治具で挟んだときの断面図である。
【図１１】本発明の第２実施形態に係る端子圧着装置の斜視図である。
【図１２】本発明の第２実施形態に係る端子圧着装置の一方の端子保持治具と丸端子との斜視図である。
【図１３】本発明の第２実施形態に係る端子圧着装置の他方の端子保持治具と丸端子との上面図である。
【図１４】本発明の第２実施形態に係る端子圧着装置の丸端子の接続部を一対の端子保持治具で挟んだときの正面図である。
【図１５】本発明の第２実施形態に係る端子圧着装置の丸端子の接続部を一対の端子保持治具で挟んだときの断面図である。
【発明を実施するための形態】
【００２３】
図１〜図１５を用いて本発明実施の形態に係る端子圧着装置及び端子圧着方法について説明する。
【００２４】
（第１実施形態）
図１〜図１０を用いて第１実施形態について説明する。
【００２５】
本実施の形態に係る端子圧着装置１は、円筒状の接続部３とこの接続部３と一体に設けられ電線が圧着される圧着部５とを有する丸端子７の圧着部５を支持するアンビル９と、このアンビル９に対して昇降可能に配置され圧着部５を電線に圧着させるクリンパ１１とを備えている。
【００２６】
また、丸端子７の接続部３が位置する部分には、接続部３を挟み込む一対の端子保持治具１３，１５が配置されている。
【００２７】
そして、一対の端子保持治具１３，１５のうち一方の端子保持治具１３には、接続部３を挟み込むときに、接続部３に設けられた孔部１７に挿入される突起部１９が設けられている。
【００２８】
また、孔部１７と突起部１９とは、接続部３の周方向に複数設けられている。
【００２９】
さらに、本実施の形態に係る端子圧着方法は、丸端子７の接続部３を一対の端子保持治具１３，１５の間に配置させる第１工程と、一方の端子保持治具１３に設けられた突起部１９を接続部３に設けられた孔部１７に挿入するように一対の端子保持治具１３，１５で接続部３を挟み込む第２工程と、アンビル９に支持された丸端子７の圧着部５をクリンパ１１で電線に圧着させる第３工程とを有する。
【００３０】
図１〜図６に示すように、丸端子７は、導電性材料からなり、円筒状の接続部３と、接続部３と連続する一部材で形成された圧着部５とを備えている。
【００３１】
接続部３は、インナ端子２１と、スリーブ２３とを備えている。インナ端子２１は、導電性材料に折り曲げ加工を施すことにより、円筒状に形成され、内部に弾性変形可能に配置された接点部２５が設けられている。
【００３２】
スリーブ２３は、導電性材料からなり、円筒状に形成され、インナ端子２１の外周を覆うように配置され、折り曲げ加工によって形成されたインナ端子２１の開きを防止する。
【００３３】
このスリーブ２３の一端側の開口は、開口縁部が内部側に向けて折り曲げ加工が施され、外径側から内径側に向けてすり鉢状に傾斜するテーパ部２７となっている。
【００３４】
このようにテーパ部２７を設けることにより、タブ状の接続部を有する雄端子からなる相手端子２９が接続部３内に挿入される際に、相手端子２９がテーパ部２７に沿って案内され、いわゆる相手端子２９のどつきを防止することができる。
【００３５】
この接続部３には、テーパ部２７側から内部に相手端子２９が挿入され、相手端子２９と接点部２５とが接触することにより、丸端子７と相手端子２９とが電気的に接続される。
【００３６】
このような接続部３のスリーブ２３には、スリーブ２３を貫通する孔部１７がスリーブ２３の長さ方向の同一位置において周方向に複数（ここでは２つ）設けられている。このスリーブ２３に外周を覆われたインナ端子２１は、圧着部５と連続する一部材で形成されている。
【００３７】
圧着部５は、導体圧着部３１と、電線圧着部３３とを備えている。導体圧着部３１は、接続部３のインナ端子２１と連続する一部材で形成され、一対の加締め片を有している。
【００３８】
この導体圧着部３１は、電線（不図示）の端末部において、絶縁被覆から露出された導体部に一対の加締め片を加締めることによって導体部に圧着され、丸端子７と電線とを電気的に接続させる。
【００３９】
電線圧着部３３は、インナ端子２１及び導体圧着部３１と連続する一部材で形成され、導体圧着部３１と同様に、一対の加締め片を有している。
【００４０】
この電線圧着部３３は、電線の端末部において、導体部を被覆する絶縁被覆に一対の加締め片を加締めることによって絶縁被覆に固定され、丸端子７を電線に固定させる。
【００４１】
このような丸端子７は、アンビル９と、クリンパ１１と、一対の端子保持治具１３，１５とを有する端子圧着装置１によって、電線の端末部に圧着される。
【００４２】
図７〜図１０に示すように、アンビル９は、丸端子７の圧着部５が位置する部分に配置され、圧着部５の導体圧着部３１と電線圧着部３３とが上面に配置され、丸端子７の圧着部５を支持する。
【００４３】
クリンパ１１は、アンビル９の上方に昇降可能に配置され、アンビル９との対向面が長円状に形成された加工面となっており、下降したときに圧着部５の一対の加締め片を加締めて電線に圧着させる。
【００４４】
なお、クリンパ１１は、圧着部５の導体圧着部３１と電線圧着部３３とに対して独立して２つ配置されているが、これに限らず、２つを連結した１つのクリンパ１１としてもよい。
【００４５】
一対の端子保持治具１３，１５は、丸端子７の接続部３が位置する部分に配置され、それぞれの対向面が半円状に形成され、上側に位置する端子保持治具１３が下側に位置する端子保持治具１５に対して昇降可能に配置されている。
【００４６】
この一対の端子保持治具１３，１５は、クリンパ１１で丸端子７の圧着部５に電線を圧着させる前の状態で、丸端子７の接続部３を挟み込み、丸端子７のアンビル９に対する配置位置を保持する。
【００４７】
ここで、丸端子７の接続部３は、円筒状であるので、単に一対の端子保持治具１３，１５で挟み込んだだけでは、クリンパ１１による圧着の際に、丸端子７が回転してしまい、圧着不良を引き起こす恐れがあった。
【００４８】
そこで、一対の端子保持治具１３，１５のうち一方の端子保持治具１３（ここでは上側に位置する端子保持治具１３）には、接続部３を挟み込むときに、接続部３に設けられた孔部１７に挿入される突起部１９が設けられている。
【００４９】
突起部１９は、上側に位置する端子保持治具１３の接続部３と対向する半円状の面において、接続部３に設けられた孔部１７と一致する部分に接続部３に向けて複数（ここでは２つ）突設されている。
【００５０】
この突起部１９は、一対の端子保持治具１３，１５で丸端子７の接続部３を挟み込むときに、接続部３の孔部１７に挿入される。
【００５１】
この突起部１９の孔部１７への挿入により、丸端子７がアンビル９上で回転することがなく、丸端子７をアンビル９に対して安定して保持することができ、クリンパ１１による圧着を安定して行うことができる。
【００５２】
加えて、孔部１７と突起部１９とは、接続部３の周方向に複数（ここでは２つ）設けられているので、接続部３の周方向における回転防止部分を増やすことができ、より安定して丸端子７の回転を防止することができる。
【００５３】
このように構成された端子圧着装置１における端子圧着方法は、まず、丸端子７の圧着部５をアンビル９上に配置させると共に、丸端子７の接続部３を下側に位置する端子保持治具１５上に配置させ、丸端子７の接続部３を一対の端子保持治具１３，１５の間に配置させる（第１工程）。
【００５４】
次に、上側に位置する端子保持治具１３を下側に位置する端子保持治具１５に向けて下降させ、上側に位置する端子保持治具１３の突起部１９を丸端子７の接続部３の孔部１７に挿入するように、一対の端子保持治具１３，１５で接続部３を挟み込み、丸端子７をアンビル９上に保持する（第２工程）。
【００５５】
そして、アンビル９上に支持された丸端子７の圧着部５に向けてクリンパ１１を下降させ、クリンパ１１によって圧着部５を加締めて電線に圧着させ、丸端子７と電線との圧着を完了する（第３工程）。
【００５６】
このような端子圧着装置１では、一方の端子保持治具１３に、接続部３を挟み込むときに、接続部３に設けられた孔部１７に挿入される突起部１９が設けられているので、一対の端子保持治具１３，１５で丸端子７の接続部３を挟み込んだ状態で、丸端子７が回転することがなく、丸端子７を安定してアンビル９に保持することができる。
【００５７】
このため、クリンパ１１による丸端子７の圧着部５に対する電線の圧着の際に、丸端子７が回転することがなく、電線と丸端子７との圧着を安定して行うことができ、電線と丸端子７との圧着不良を防止することができる。
【００５８】
従って、このような端子圧着装置１では、丸端子７の保持を安定化することができ、丸端子７の圧着不良を防止することができる。
【００５９】
また、孔部１７と突起部１９とは、接続部３の周方向に複数設けられているので、接続部３の回転方向の保持を安定化することができ、アンビル９に対する丸端子７の保持をさらに安定化することができる。
【００６０】
さらに、この端子圧着装置１における端子圧着方法では、第２工程において、一方の端子保持治具１３に設けられた突起部１９を接続部３に設けられた孔部１７に挿入するように一対の端子保持治具１３，１５で接続部３を挟み込むので、一対の端子保持治具１３，１５で丸端子７の接続部３を挟み込んだ状態で、丸端子７が回転することがなく、丸端子７を安定してアンビル９に保持することができる。
【００６１】
このため、アンビル９に支持された丸端子７の圧着部５をクリンパ１１で電線に圧着させる第３工程において、丸端子７が回転することがなく、電線と丸端子７との圧着を安定して行うことができ、電線と丸端子７との圧着不良を防止することができる。
【００６２】
従って、このような端子圧着方法では、丸端子７の保持を安定化することができ、丸端子７の圧着不良を防止することができる。
【００６３】
（第２実施形態）
図１１〜図１５を用いて第２実施形態について説明する。
【００６４】
本実施の形態に係る端子圧着装置１０１は、孔部１０３と突起部１０５とが、接続部３の長さ方向に複数設けられている。
【００６５】
なお、第１実施形態と同一の構成には、同一の記号を記して構成及び機能説明は第１実施形態を参照するものとし省略するが、第１実施形態と同一の構成であるので、得られる効果は同一である。
【００６６】
図１１〜図１５に示すように、孔部１０３は、丸端子７の接続部３を構成するスリーブ２３にスリーブ２３を貫通して設けられ、スリーブ２３の外周に複数（ここでは４つ）配置されている。
【００６７】
この複数の孔部１０３は、スリーブ２３の長さ方向の同一位置において周方向に複数（ここでは２つ）設けられると共に、スリーブ２３の長さ方向に複数列（ここでは２列）設けられている。
【００６８】
突起部１０５は、一対の端子保持治具１３，１５のうち一方の端子保持治具１３（ここでは上側に位置する端子保持治具１３）の接続部３と対向する半円状の面において、接続部３に設けられた孔部１０３と一致する部分に接続部３に向けて複数（ここでは４つ）突設されている。
【００６９】
この複数の突起部１０５は、一対の端子保持治具１３，１５で丸端子７の接続部３を挟み込むときに、接続部３の複数の孔部１０３にそれぞれ挿入される。
【００７０】
この複数の突起部１０５の複数の孔部１０３への挿入により、丸端子７がアンビル９上で回転することを防止することに加えて、丸端子７が長さ方向と交差する方向に移動することが規制され、丸端子７をアンビル９に対してより安定して保持することができ、クリンパ１１による圧着をより安定して行うことができる。
【００７１】
なお、このように構成された端子圧着装置１における端子圧着方法は、第１実施形態における端子圧着方法と同様であり、第２工程において、一対の端子保持治具１３，１５で接続部３を挟み込むときに、複数の突起部１０５を複数の孔部１０３に挿入するものであるので、その説明を省略する。
【００７２】
このような端子圧着装置１０１では、孔部１０３と突起部１０５とが、接続部３の長さ方向に複数設けられているので、接続部３の長さ方向と交差する方向への移動規制を安定化することができ、アンビル９に対する丸端子７の保持をさらに安定化することができる。
【００７３】
なお、本発明の実施の形態に係る端子圧着装置では、孔部と突起部とが接続部の周方向に２つ設けられているが、これに限らず、孔部と突起部とを接続部の周方向に２つ以上設ける、或いは孔部と突起部とを接続部の周方向に１つ設けてもよい。
【００７４】
また、孔部と突起部とは、接続部の長さ方向に２つ設けられているが、これに限らず、孔部と突起部とを接続部の長さ方向に２つ以上設ける、或いは孔部と突起部とを接続部の長さ方向に１つ設けてもよい。
【００７５】
さらに、突起部は、一対の端子保持治具のうち一方の端子保持治具に設けられているが、これに限らず、他方の端子保持治具に突起部を設ける、一対の端子保持治具のそれぞれに突起部を設けるなど、突起部を設ける位置は接続部に設けられた孔部と一致する位置であれば、どちらの端子保持治具に突起部を設けてもよい。
【００７６】
また、丸端子の接続部は、インナ端子とスリーブとで構成されているが、これに限らず、インナ端子のみで構成されてもよく、円筒状に形成されているものであれば、接続部の構成はどのようなものであってもよい。
【符号の説明】
【００７７】
１，１０１…端子圧着装置
３…接続部
５…圧着部
７…丸端子
９…アンビル
１１…クリンパ
１３，１５…端子保持治具
１７，１０３…孔部
１９，１０５…突起部
【図１】
0006586348.tif 000002
【図２】
0006586348.tif 000003
【図３】
0006586348.tif 000004
【図４】
0006586348.tif 000005
【図５】
0006586348.tif 000006
【図６】
0006586348.tif 000007
【図７】
0006586348.tif 000008
【図８】
0006586348.tif 000009
【図９】
0006586348.tif 000010
【図１０】
0006586348.tif 000011
【図１１】
0006586348.tif 000012
【図１２】
0006586348.tif 000013
【図１３】
0006586348.tif 000014
【図１４】
0006586348.tif 000015
【図１５】
0006586348.tif 000016